(57)【特許請求の範囲】
【請求項１】
表示部と、
発信および着信を行う通信部と、
前記通信部に着信があったとき、前記表示部の表示状態を、現在の表示状態に基づいて、あらかじめ設定した表示状態に切り替える制御部とを有し、
前記制御部は、特定画像が前記表示部に表示されている場合、前記表示部を消灯状態としてから、前記表示部の表示状態をあらかじめ設定した表示状態に切り替える通信装置。
【請求項２】
表示部と、
発信および着信を行う通信部と、
前記通信部に着信があったとき、前記表示部の表示状態を、現在の表示状態に基づいて、あらかじめ設定した表示状態に切り替える制御部とを有し、
前記制御部は、特定画像が前記表示部に表示されている場合、前記表示部を、該表示部の出力をオフした状態、または該表示部に黒い画面を表示した状態としてから、前記表示部の表示状態をあらかじめ設定した表示状態に切り替える通信装置。
【請求項３】
請求項１または請求項２に記載の通信装置において、
前記制御部は、前記表示部の表示状態を切り替えた後、前記通信部に着信があった場合は、前記表示部の表示状態を切り替えないことを特徴とする通信装置。
【請求項４】
請求項１から３のいずれか１項に記載の通信装置において、
前記特定画像は、背景画像であり、
前記制御部は、前記表示部の表示状態を切り替える際、前記表示部に表示されている背景画像を切り替えることを特徴とする通信装置。
【請求項５】
請求項１から３のいずれか１項に記載の通信装置において、
前記特定画像は、前記表示部に表示されている所定の部分の色であり、
前記制御部は、前記表示部の表示状態を切り替える際、前記表示部に表示されている所定の部分の色を変更することを特徴とする通信装置。
【請求項６】
請求項１から５のいずれか１項に記載の通信装置において、
前記制御部は、通話の着信があったとき、前記表示部の表示状態を切り替えることを特徴とする通信装置。
【請求項７】
請求項１から６のいずれか１項に記載の通信装置において、
前記制御部は、メッセージの着信があり、秘匿モードが設定された状態の場合、メッセージを一時保存し、前記表示部の表示状態をあらかじめ設定された表示状態に切り替え、秘匿モードが解除されると、前記一時保存したメッセージを、当該メッセージを扱うアプリケーションに転送することを特徴とする通信装置。
【請求項８】
請求項１から７のいずれか１項に記載の通信装置において、
前記表示部における、切り替え前の表示状態と、表示状態の切り替え処理とをあらかじめ対応付けて記憶する記憶部を有し、
前記制御部は、前記通信部に着信があったとき、現在の表示状態である切り替え前の表示状態に基づいて特定画像が現在の表示状態に表示されているか否か判断し、前記表示部の表示状態を、前記記憶部にて該切り替え前の表示状態と対応付けられている表示状態の切り替え処理に基づき、切り替え後の表示状態に切り替えることを特徴とする通信装置。
【請求項９】
請求項１から８のいずれか１項に記載の通信装置において、
前記制御部は、前記通信部に着信があったとき、前記表示部の現在の表示状態がホーム状態である場合、前記特定画像が前記表示部に表示されていると判断することを特徴とする通信装置。
【請求項１０】
請求項１から９のいずれか１項に記載の通信装置において、
切り替え前の特定画像と切り替え後の特定画像とがあらかじめ対応付けて設定されており、
前記制御部は、前記表示部の表示状態を切り替える際、前記表示部に表示されている前記切り替え前の特定画像を、対応する切り替え後の特定画像に切り替えることを特徴とする通信装置。
【請求項１１】
情報を表示するステップと、
発信および着信を行うステップと、
前記着信があったとき、現在の前記情報の表示状態に基づいて、あらかじめ設定した表示状態に切り替える切り替えステップとを行い、
前記切り替えステップは、特定画像が表示されている場合、該表示の表示状態を消灯状態としてから、前記表示状態をあらかじめ設定した表示状態に切り替える通知制御方法。
【請求項１２】
情報を表示するステップと、
発信および着信を行うステップと、
前記着信があったとき、現在の前記情報の表示状態に基づいて、あらかじめ設定した表示状態に切り替える切り替えステップとを行い、
前記切り替えステップは、特定画像が表示されている場合、該表示の表示状態を、該表示を行っている表示部の出力をオフした状態、または前記表示部に黒い画面を表示した状態にしてから、前記表示状態をあらかじめ設定した表示状態に切り替える通知制御方法。
【請求項１３】
コンピュータに、
情報を表示する手順と、
発信および着信を行う手順と、
前記着信があったとき、現在の前記情報の表示状態に基づいて、あらかじめ設定した表示状態に切り替える切り替え手順とを実行させ、
前記切り替え手順では、特定画像が表示されている場合、該表示の状態を消灯状態としてから、前記表示状態をあらかじめ設定した表示状態に切り替える手順を実行させるためのプログラム。
【請求項１４】
コンピュータに、
情報を表示する手順と、
発信および着信を行う手順と、
前記着信があったとき、現在の前記情報の表示状態に基づいて、あらかじめ設定した表示状態に切り替える切り替え手順とを実行させ、
前記切り替え手順では、特定画像が表示されている場合、該表示の表示状態を、該表示を行っている表示部の出力をオフした状態、または前記表示部に黒い画面を表示した状態にしてから、前記表示状態をあらかじめ設定した表示状態に切り替える手順を実行させる
ためのプログラム。
【発明の詳細な説明】
【技術分野】
【０００１】
本発明は、通信の通知を制御する通信装置、通知制御方法およびプログラムに関する。
【背景技術】
【０００２】
一般的に普及している携帯通信端末では、着信（電話の着信や電子メール、ショートメッセージの受信等、以下、同じ）があったとき、公共の場所等で周囲に迷惑がかからないように、音の出力ではなく、振動で所持者へ通知する設定（以下、マナーモードと称する）ができるものがほとんどである。
【０００３】
また、マナーモードを設定しているときに、着信があった場合、その着信の発信側へ、着信した携帯通信端末がマナーモードに設定されている旨を通知する技術が考えられている（例えば、特許文献１参照。）。
【先行技術文献】
【特許文献】
【０００４】
【特許文献１】特開２００５−２２３５５０号公報
【発明の概要】
【発明が解決しようとする課題】
【０００５】
近年、スマートフォンやタブレット端末、モバイルコンピュータ等の携帯通信端末が普及し、このような携帯通信端末の画面を相手に見せながら電子プレゼンテーションを行う機会が増えてきている。
【０００６】
しかしながら、電子プレゼンテーション等の場面で画面を相手に見せている最中に着信があった場合、マナーモードに設定していて、音の出力は無効となっていても、「○○さんからのメッセージを受信しました」等の表示が、ポップアップや通知バーに表示されてしまう。この結果、相手に知られたくない情報が表示されてしまったり、この表示が電子プレゼンテーション等の進行の妨げになってしまったりするという問題点がある。
【０００７】
本発明の目的は、上述した課題を解決する通信装置、通知制御方法およびプログラムを提供することである。
【課題を解決するための手段】
【０００８】
本発明の通信装置は、
表示部と、
発信および着信を行う通信部と、
前記通信部に着信があったとき、前記表示部の表示状態を、現在の表示状態に基づいて、あらかじめ設定した表示状態に切り替える制御部とを有し、
前記制御部は、特定画像が前記表示部に表示されている場合、前記表示部を消灯状態としてから、前記表示部の表示状態をあらかじめ設定した表示状態に切り替える。
【０００９】
また、本発明の通知制御方法は、
情報を表示するステップと、
発信および着信を行うステップと、
前記着信があったとき、現在の前記情報の表示状態に基づいて、あらかじめ設定した表示状態に切り替える切り替えステップとを行い、
前記切り替えステップは、特定画像が表示されている場合、該表示の表示状態を消灯状態としてから、前記表示状態をあらかじめ設定した表示状態に切り替える。
【００１０】
コンピュータに実行させるためのプログラムであって、
情報を表示する手順と、
発信および着信を行う手順と、
前記着信があったとき、現在の前記情報の表示状態に基づいて、あらかじめ設定した表示状態に切り替える切り替え手順とを実行させ、
前記切り替え手順では、特定画像が表示されている場合、該表示の状態を消灯状態としてから、前記表示状態をあらかじめ設定した表示状態に切り替える手順を実行させる。
【発明の効果】
【００１１】
以上説明したように、本発明においては、着信があった旨を当該通信装置の利用者だけが認識することができる。
【図面の簡単な説明】
【００１２】
【図１】本発明の通信装置の実施の一形態を示す図である。
【図２】図１に示した記憶部に記憶された、切り替え前の表示状態と、表示状態の切り替え処理との対応付けの一例を示す図である。
【図３】図１に示した記憶部に記憶された、表示状態の切り替え前に表示部が表示する背景画像の一例を示す図である。
【図４】図１に示した記憶部に記憶された、表示状態の切り替え後に表示部が表示する背景画像の一例を示す図である。
【図５】図１に示した通信装置における通知制御方法を説明するためのフローチャートである。
【図６】図３に示した表示状態の切り替え前の背景画像が表示部に表示されたときの表示状態の一例を示す図である。
【図７】図４に示した表示状態の切り替え後の背景画像が表示部に表示されたときの表示状態の一例を示す図である。
【図８】ウィジェットが表示された表示状態の切り替え前の表示部の一例を示す図である。
【図９】ウィジェットが表示された表示状態の切り替え後の表示部の一例を示す図である。
【図１０】表示部の表示状態がホーム状態である場合の表示画面の一例を示す図である。
【発明を実施するための形態】
【００１３】
以下に、本発明の実施の形態について図面を参照して説明する。
【００１４】
図１は、本発明の通信装置の実施の一形態を示す図である。
【００１５】
本形態における通信装置１００には図１に示すように、表示部１１０と、通信部１２０と、制御部１３０と、記憶部１４０とが設けられている。なお、図１には、通信装置１００が具備する構成要素のうち、本発明に関わるもののみを示した。また、通信装置１００は、携帯電話やスマートフォンなどの携帯通信端末、通信機能をもったタブレット、モバイルコンピュータ、ゲーム機などの通信装置であっても良い。
【００１６】
表示部１１０は、制御部１３０の指示に基づいて、情報を表示するディスプレイである。
【００１７】
通信部１２０は、電話網やインターネットなどのネットワークと接続され、制御部１３０からの指示に基づいて、電話やメッセージ、電子メール、制御信号などの発信（通話の発呼、電子メールやショートメッセージの送信等、以下、同じ）や通信装置１００宛ての発信の着信を行う。
【００１８】
制御部１３０は、通信装置１００全体を制御する。また、制御部１３０は、記憶部１４０に記憶されたＯＳ（Ｏｐｅｒａｔｉｎｇ  Ｓｙｓｔｅｍ）やアプリケーションのプログラムに基づいて制御を行うものであっても良い。また、制御部１３０は、表示部１１０における表示および通信部１２０における発着信を制御する。また、制御部１３０は、通信部１２０に着信があったとき、表示部１１０の表示状態をあらかじめ設定された表示状態に切り替える。また、制御部１３０は、表示部１１０の表示状態を切り替える際、切り替え前の表示状態に応じた表示状態に切り替える。また、制御部１３０は、表示部１１０の表示状態を切り替える際、現在の表示状態である切り替え前の表示状態に基づいて、記憶部１４０から切り替え処理を読み出し、その読み出した切り替え処理に基づいて、表示状態を切り替える。制御部１３０は、表示部１１０の表示状態を切り替えた後、さらに通信部１２０に着信があった場合は、表示部１１０の表示状態をさらに切り替えることは行わない。ただし、記憶部１４０から切り替え後の更なる表示状態の切り替え処理を読み出し、その読み出した表示状態の切り替え処理に基づいて、異なる表示状態に切り替えても良い。
【００１９】
なお、この表示部１１０の「表示状態」とは、表示部１１０のスリープ状態、表示部１１０にホーム画面が表示されている状態（ホーム状態）、他のアプリケーションの処理に基づいた画面が表示されている状態（他アプリ表示）などを指すことと、背景画像としてどの背景画像が表示されているかやウィジェットがどの色で表示されているかを指すこと、またはその組み合わせを言う。
【００２０】
記憶部１４０は、ＯＳやアプリケーションのプログラム、各種メッセージや命令に対応するアプリケーションの優先度が示された優先度テーブル、背景画像（壁紙）の設定情報や対応アプリケーションの設定情報など各種設定情報ファイル、タスクテーブル、一時保存されたメッセージ、本アプリケーションや電話、メッセージや電子メールの着信履歴情報、アイコンや背景画像（壁紙）、各種操作設定画面などのファイルなどが記憶されている。また、記憶部１４０は、表示部１１０における切り替え前の表示状態と、表示状態の切り替え処理とをあらかじめ対応付けて記憶する。更に、記憶部１４０は、表示部１１０における切り替え前の表示状態での背景画像と切り替え後の表示状態での背景画像とをあらかじめ対応付けて記憶する。
【００２１】
図２は、図１に示した記憶部１４０に記憶された、切り替え前の表示状態と、表示状態の切り替え処理との対応付けの一例を示す図である。
【００２２】
図１に示した記憶部１４０には図２に示すように、切り替え前の表示状態と、着信があった時の動作（表示状態の切り替え処理）とが、その動作を行う条件と共に対応付けられて記憶されている。ここで条件として、秘匿モードが有効であるか否か（通知制御機能（表示状態の切り替え機能）が有効に設定されているか否か）と、すでに切り替え処理を行ったかどうかとが設定されている。
【００２３】
例えば、秘匿モード「無効」と、処理状態「全て」と、表示状態「全て」とが、表示状態の切り替え処理「変更しない」と対応付けられている。これは、秘匿モードが無効に設定されている場合、処理状態および表示状態がどのような状態であっても、着信があったときに、制御部１３０は表示部１１０の表示状態を切り替え処理しないことを示している。また、秘匿モード「有効」と、処理状態「未処理」と、表示状態「スリープ状態」とが、表示状態の切り替え処理「背景のみを変更する」と対応付けられている。これは、秘匿モードが有効に設定されており、表示状態の切り替え処理をまだ行っていない場合に、着信があったときに、表示部１１０の表示状態がスリープ状態（表示部１１０の出力をオフ（消灯）にした状態や、表示部１１０に真っ黒な画面を表示している状態など）であれば、制御部１３０は表示部１１０における背景の画像（壁紙）のみを変更することを示している。また、秘匿モード「有効」と、処理状態「未処理」と、表示状態「ホーム状態」とが、表示状態の切り替え処理「スリープ状態にして背景を変更する」と対応付けられている。これは、秘匿モードが有効に設定されており、表示状態の切り替え処理をまだ行っていない場合に、着信があったときに、表示部１１０の表示状態がホーム状態（背景画像の上にインストールされたアプリケーションのアイコンやウィジェットが表示されている状態）であれば、制御部１３０は表示部１１０の表示状態をスリープ状態にして背景の画像を変更することを示している。また、秘匿モード「有効」と、処理状態「未処理」と、表示状態「上記以外（他アプリ表示」とが、表示状態の切り替え処理「背景のみを変更する」と対応付けられている。これは、秘匿モードが有効に設定されており、表示状態の切り替え処理をまだ行っていない場合に、着信があったときに、表示部１１０の表示状態が上述した以外の状態、つまり他のアプリケーションにより表示部１１０全体に表示が行われている状態であれば、制御部１３０は表示部１１０における背景の画像（壁紙）のみを変更することを示している。他のアプリケーションにより表示部１１０の一部に表示が行われている状態であれば、制御部１３０は表示部１１０の表示状態をスリープ状態にして背景の画像を変更するようにしても良い。なお、この他アプリ表示において、他のアプリケーションによる表示画面が表示部１１０全体に表示されている状態では、表示部１１０には背景画像は表示されていない。また、秘匿モード「有効」と、処理状態「処理済み」と、表示状態「全て」とが、表示状態の切り替え処理「変更しない（切り替え処理しない）」と対応付けられている。これは、秘匿モードが有効に設定されており、表示状態の切り替え処理をすでに行った場合に、着信があったときは、表示部１１０の表示状態がどのような状態であっても、制御部１３０は表示部１１０の表示状態を変更しない（切り替え処理しない）ことを示している。
【００２４】
また、記憶部１４０には、あらかじめ設定された、表示状態の切り替え前の背景画像と切り替え後の背景画像とが記憶されている。
【００２５】
図３は、図１に示した記憶部１４０に記憶された、表示状態の切り替え前に表示部１１０が表示する背景画像の一例を示す図である。
【００２６】
図１に示した記憶部１４０には図３に示すように、表示状態の切り替え前に表示部１１０が表示する背景画像が記憶されている。この背景画像は、利用者が表示部１１０に設定画面が表示された通信装置１００を操作してあらかじめ選択入力されたものである。
【００２７】
図４は、図１に示した記憶部１４０に記憶された、表示状態の切り替え後に表示部１１０が表示する背景画像の一例を示す図である。
【００２８】
図１に示した記憶部１４０には図４に示すように、表示状態の切り替え後に表示部１１０が表示する背景画像が記憶されている。この背景画像は、切り替え前の背景画像と対応付けされて記憶、設定されている。また、この背景画像は、利用者が通信装置１００を操作してあらかじめ選択入力し、設定されたものである。また、記憶部１４０は、着信の回数に応じた複数の背景画像を記憶しておいても良い。
【００２９】
以下に、図１に示した通信装置１００における通知制御方法について説明する。
【００３０】
図５は、図１に示した通信装置１００における通知制御方法を説明するためのフローチャートである。ここで、以下の処理の対象となるアプリケーション（電話、ＳＭＳ（Ｓｈｏｒｔ  Ｍｅｓｓａｇｅ  Ｓｅｒｖｉｃｅ）等のメッセージ、電子メール等）を選択することも可能である。その場合、対象となるアプリケーションを選択するための選択画面を表示部１１０が表示し、利用者の操作に応じて選択されたアプリケーションを対象アプリケーションとして設定するものであっても良い。
【００３１】
まず、通信部１２０に着信があると（ステップＳ１）、制御部１３０は、秘匿モードが無効から有効に設定された（通知制御機能のアプリケーションが実行（オン）されている）状態であるかどうかを判別する（ステップＳ２）。また、秘匿モードが設定されている場合、当該着信が、処理対象として設定された対象アプリケーションの着信であるかどうかを、制御部１３０が判別しても良い。
【００３２】
なお、通知制御機能のアプリケーションが実行（オン）されると、制御部１３０は、処理対象の着信の優先度テーブルで通知制御機能のアプリケーションを最優先とする。この通知制御機能のアプリケーションには、処理対象の着信があると、優先度テーブルに従い通知制御機能のアプリケーションでメッセージの一時保存などの処理をするパターンと、処理対象の着信の優先度テーブルで最優先に設定されているアプリケーションの通知設定を非表示に設定するパターンと、処理対象の着信の優先度テーブルで最優先に設定されているアプリケーションの通知出力を監視し、通知出力が表示部１１０に表示される前に、通知出力を無効化するパターンとがあり、制御部１３０は、これらのパターンの少なくとも１つを行う。制御部１３０は、複数のパターンを行う場合、処理対象の着信の種類によって、予め決められたパターンを行う。
【００３３】
また、制御部１３０は、各パターンについてそれぞれ、通知制御機能のアプリケーションがオンからオフへ変更されると、処理対象の着信の優先度テーブルで通知制御機能のアプリケーションの次に優先度が高いアプリケーションを最優先とする。また、制御部１３０は、処理対象の着信の優先度テーブルで最優先に設定されているアプリケーションの通知設定を非表示から表示に設定変更する。また、制御部１３０は、処理対象の着信の優先度テーブルで最優先に設定されているアプリケーションの通知出力を監視を終了する。
【００３４】
秘匿モードが設定された状態である場合、表示部１１０の表示状態の切り替え処理がすでに行われたかどうかを制御部１３０が判別する（ステップＳ３）。この判別は、制御部１３０が、記憶部１４０に記憶されている着信履歴を読み出して判別するものであっても良いし、現在の表示部１１０の表示状態（切り替え前の背景画像であるか、または切り替え後の背景画像であるか）に基づいて、判別するものであっても良い。
【００３５】
表示部１１０の表示状態の切り替え処理がすでに行われている場合、制御部１３０は記憶部１４０に記憶されている対応付けに基づいた表示部１１０の表示状態の変更を行わない。
【００３６】
一方、表示部１１０の表示状態の切り替え処理がまだ行われていない場合は、制御部１３０は、表示部１１０の表示状態がどのような状態であるかを判別する（ステップＳ４）。この表示状態の判別は、制御部１３０が、現在実行されているタスクを示すタスクテーブルや表示階層を示す表示レイヤテーブルなどを参照することで行うものであっても良い。
【００３７】
表示部１１０の表示状態がホーム状態である場合、制御部１３０は記憶部１４０に記憶されている対応付けに基づいて、表示部１１０の画面をスリープ状態にする（ステップＳ５）。続いて、制御部１３０は、記憶部１４０に記憶されている切り替え後の背景画像を読み出して（ステップＳ６）、表示部１１０に表示される背景画像を、記憶部１４０から読み出した背景画像へ変更する（ステップＳ７）。つまり、制御部１３０は、通信部１２０に着信があったときに、表示部１１０における現在の表示状態に切り替え前の特定画像（背景画像やウィジェットなど）が表示されているか否かを判断し、特定画像が表示されている場合、消灯状態などの特定画像を隠す表示処理をしてから、切り替え後の特定画像に切り替える処理であっても良い。
【００３８】
一方、ステップＳ４にて、表示部１１０の表示状態がスリープ状態（消灯状態）またはその他のアプリケーションによる表示画面が表示部１１０全体に表示されているなどのその他の状態である場合は、制御部１３０は記憶部１４０に記憶されている対応付けに基づいて、ステップＳ５の処理は行わず、ステップＳ６の処理を行う。
【００３９】
なお、表示部１１０の表示状態がスリープ状態である場合、またはスリープ状態へ変更された場合は、スリープ状態から復帰した後に、ステップＳ６の処理を行うものであっても良い。また、表示部１１０の表示状態が、その他のアプリケーションによる表示を行っている状態である場合、当該アプリケーションが終了してから、表示部１１０がホーム状態になる前に、ステップＳ６の処理を行うものであっても良い。
【００４０】
また、記憶部１４０に、切り替え後の背景画像が着信回数に応じて、複数記憶されている場合は、ステップＳ３にて表示部１１０の表示状態の切り替え処理がすでに行われている場合であっても、ステップＳ４に進み、着信回数に応じた背景画像を読み出して切り替えても良い。
【００４１】
これにより、着信の通知を表示させず、背景画像の切り替えのタイミングも他人に気づかせずに、背景画像が変わったことで、通信装置１００の利用者には着信があったことがわかる。
【００４２】
その後、制御部１３０は、切り替え処理を行った旨を示す情報を記憶部１４０に書き込んでおくものであっても良い。これは、ステップＳ３の判別処理を行うときに、制御部１３０がこの情報を記憶部１４０から読み出して判別するためである。これは、制御部１３０が記憶部１４０に着信履歴として書き込んでおくものであっても良いし、表示状態を切り替えたことを書き込んでおくものであっても良い。
【００４３】
なお、通知しなかった着信がメッセージや電子メールの場合、制御部１３０は、それらのメッセージを記憶部１４０に一時保存する。また、このメッセージを一時保存する記憶部は、通知制御機能のアプリケーションが管理する記憶部１４０の記憶領域であっても良いし、記憶部１４０とは別に設けられた記憶部であっても良い。
【００４４】
また、ステップＳ２にて、秘匿モードが設定された状態ではない場合、または、秘匿モードが設定された状態でも、当該着信が処理対象で無い場合は、制御部１３０は、表示部１１０に通常の通知表示、例えば、ポップアップや通知バーの表示をさせる（ステップＳ８）。
【００４５】
なお、着信の通知は、表示以外に、音の出力や振動があるが、ステップＳ２にて、秘匿モードが設定された状態である場合は、表示以外の通知のいずれか、またはすべてを行わないものであっても良い。
【００４６】
その後、利用者が通信装置１００を操作することより、通知制御機能のアプリケーションがオンからオフ（秘匿モードが有効から無効、つまり解除）へ変更されると、制御部１３０は、着信したメッセージが記憶部１４０に一時保存されている場合、優先度テーブルを参照し、通知制御機能のアプリケーションの次に優先度が高いアプリケーション（通常時にそのメッセージに割り当てられたそのメッセージを扱うアプリケーション）に、一時保存されたメッセージを転送する。その後は、通常時と同じく、そのメッセージを扱うアプリケーションにより、メッセージを受信した旨の通知をポップアップや通知バーに表示する命令が出力され、制御部１３０は表示部１１０に該当する通知を表示させる。メッセージは、そのメッセージを扱うアプリケーションが管理する記憶部１４０の記憶領域に保存される。
【００４７】
また、電話の着信のように、着信通知の設定を非表示に設定した場合や、着信通知を無効にした場合は、通知制御機能をオフにしても、再度、通知は表示されない。しかし、制御部１３０が着信を記憶部１４０内に着信履歴として残しているため、その着信履歴（着信日時や番号通知の相手であればその電話番号）を参照すれば、利用者はプレゼンテーションなどが済んだ後に、その相手に電話をかけることができる。これについては、メッセージの着信通知の設定を非表示に設定した場合や、着信通知を無効にした場合も同様である。
【００４８】
また、制御部１３０は、通知制御機能がオンからオフへ変更されると、設定された通常時の背景画像に設定を変更する。制御部１３０は、背景画像の設定に従い、設定された通常時の背景画像を記憶部１４０から読み出し、背景画像として表示部１１０に表示させる。
【００４９】
図６は、図３に示した表示状態の切り替え前の背景画像が表示部１１０に表示されたときの表示状態の一例を示す図である。
【００５０】
図６に示すように、表示状態の切り替え前の表示部１１０には、記憶部１４０に記憶されている、表示状態の切り替え前の背景画像が表示される。
【００５１】
図７は、図４に示した表示状態の切り替え後の背景画像が表示部１１０に表示されたときの表示状態の一例を示す図である。
【００５２】
図７に示すように、表示状態の切り替え後の表示部１１０には、記憶部１４０に記憶されている、表示状態の切り替え後の背景画像が表示される。
【００５３】
また、背景画像を変更するのではなく、表示部１１０に表示された所定の部分の色を変更するものであっても良い。
【００５４】
図８は、ウィジェットが表示された表示状態の切り替え前の表示部１１０の一例を示す図である。また、図９は、ウィジェットが表示された表示状態の切り替え後の表示部１１０の一例を示す図である。
【００５５】
図８に示すように表示部１１０に表示されたウィジェット１１１の一部が、表示状態切り替え後に、図９に示すように色が変更されて表示される。
【００５６】
図１０は、表示部１１０の表示状態がホーム状態である場合の表示画面の一例を示す図である。
【００５７】
図１０に示すように、ホーム状態である表示部１１０には、背景画像の上にインストールされたアプリケーションのアイコン等が所定の位置に表示されている。この表示は、一般的なものと同じで良い。
【００５８】
このように、通信装置に着信があったとき、当該着信があったことを示す一般的な情報やその着信の発信元を示す情報を非表示にし、当該通信装置の利用者があらかじめ設定した表示状態への変更を行うことで、着信があったことを当該利用者のみが認識することができる。
【００５９】
上述した通信装置１００に設けられた各構成要素が行う処理は、目的に応じてそれぞれ作製された論理回路で行うようにしても良い。また、処理内容を手順として記述したコンピュータプログラム（以下、プログラムと称する）を通信装置１００にて読取可能な記録媒体に記録し、この記録媒体に記録されたプログラムを通信装置１００に読み込ませ、実行するものであっても良い。通信装置１００にて読取可能な記録媒体とは、フロッピー（登録商標）ディスク、光磁気ディスク、ＤＶＤ、ＣＤなどの移設可能な記録媒体の他、通信装置１００に内蔵された記憶部１４０、ＲＯＭ、ＲＡＭ等のメモリやＨＤＤ等を指す。この記録媒体に記録されたプログラムは、通信装置１００に設けられた制御部１３０にて読み込まれ、制御部１３０の制御によって、上述したものと同様の処理が行われる。ここで、制御部１３０は、プログラムが記録された記録媒体から読み込まれたプログラムを実行するコンピュータとして動作するものである。
【符号の説明】
【００６０】
１００    通信装置
１１０    表示部
１１１    ウィジェット
１２０    通信部
１３０    制御部
１４０    記憶部
【図１】
0005634424.tif 000002
【図２】
0005634424.tif 000003
【図３】
0005634424.tif 000004
【図４】
0005634424.tif 000005
【図５】
0005634424.tif 000006
【図６】
0005634424.tif 000007
【図７】
0005634424.tif 000008
【図８】
0005634424.tif 000009
【図９】
0005634424.tif 000010
【図１０】
0005634424.tif 000011